(57)【要約】      （修正有）【課題】切取容易に加工を施された１つの名刺で２つ以上の事業者を表示し、かつ、紹介を誘発することを目的とした名刺を提供する。【解決手段】名刺は、長方形の第１のカード部１１０と、第１のカード部１１０と略同一形状の第２のカード部１２０とからなり、第１および第２のカード部が一辺で連なり、連なる一辺で折り曲げ可能に構成される。第１のカード部１１０は、第１の事業者を表示する記載を有し、第２のカード部１２０は、第１の事業と異なる第２の事業者を表示する記載を有し、連なる一辺は、第１のカード部１１０と第２のカード部１２０とを切断容易にする加工が施されている。【選択図】図２
2019072952.tif 000002
【特許請求の範囲】
【請求項１】
長方形の第１のカード部と、第１のカード部と略同一形状の第２のカード部とからなり、前記第１および前記第２のカード部が一辺で連なり、該連なる一辺で折り曲げ可能な名刺であって、
前記第１のカード部は、第１の事業者を表示する記載を有し、
前記第２のカード部は、前記第１の事業と異なる第２の事業者を表示する記載を有し、前記連なる一辺は、前記第１のカード部と前記第２のカード部とを切断容易にする加工が施されている、名刺。
【請求項２】
前記第２のカード部は、前記第１の事業者を特定する記載を有する、請求項１に記載の名刺。
【請求項３】
前記第２のカード部は、前記第２のカード部を保有したものが前記第２の事業者へ接触する行動要請の記載を有する、請求項１または２に記載の名刺。
【発明の詳細な説明】
【技術分野】
【０００１】
本発明は、切取容易な加工を施された名刺に関する。
【背景技術】
【０００２】
従来より、個人の情報を交換する手段として、「名刺」と称される個人の情報が記載された矩形のカードを交換する手段、すなわち名刺交換がある。名刺には、一般に、個人の名称、所属団体、役職、電話番号、ＦＡＸ番号、ｅ−ｍａｉｌアドレス等の個人を特定する情報（以下、「個人特定情報等」ともいう。）が記載され、さらには、当該個人の経験、保有資格、メッセージ等の付属情報が記載されていることもある。
【０００３】
また、特許文献１には、二つ折りにした状態で名刺サイズとなる名刺であり、開いて切り離すと一方は保管用の名刺、もう一方は名刺に記載された個人や所属団体（以下総称して「第１の事業者」ともいう。）の紹介文や優待事項が記載された流通用のカードとなる折りたたみ型名刺が提案されている。
【先行技術文献】
【特許文献】
【０００４】
【特許文献１】特開２００１−８８４７５号公報
【発明の概要】
【発明が解決しようとする課題】
【０００５】
しかし、上記特許文献１に記載の名刺は、切り取った名刺の両側に第１の事業者に関する情報が記載されており、あくまでも1つの事業者を表示するに過ぎない。すなわち、1つの名刺で２つ以上の事業者を表示しようとするものはなかった。
【０００６】
本発明は、これらの問題を解決するためになされたもので、切取容易に加工を施された１つの名刺で２つ以上の事業者を表示し、かつ、紹介を誘発することを目的とする。
【課題を解決するための手段】
【０００７】
（１）本発明に係る名刺は、長方形の第１のカード部と、第１のカード部と略同一形状の第２のカード部とからなり、前記第１および前記第２のカード部が一辺で連なり、該連なる一辺で折り曲げ可能な名刺であって、前記第１のカード部は、第１の事業者を表示する記載を有し、前記第２のカード部は、前記第１の事業と異なる第２の事業者を表示する記載を有し、前記連なる一辺は、前記第１のカード部と前記第２のカード部とを切断容易にする加工が施されている
【０００８】
この名刺によれば、第１の事業者と第三者とにより名刺交換がされたときに第１のカードは、第１の事業者を表示する名刺となる。そして、第２のカードは、第２の事業者を表示する紹介カードとなる。第２のカードには、第１の事業者を特定する記載があるため、第２のカード部を保有した者が第２の事業者に接触した場合に、第２のカードにより紹介されたことを知ることができる。
【０００９】
（２）前記第２のカード部は、前記第１の事業者を特定する記載を有していてもよい。そのようにすれば、第２のカード部を保有した者が第２の事業者に接触した場合に、第１の事業者との名刺交換により接触する動機付けがされたことを知ることができる。
【００１０】
（３）前記第２のカード部は、前記第２のカード部を保有したものが前記第２の事業者へ接触する行動要請の記載を有していてもよい。そのようにすれば、第２のカード部を保有した者が第２の事業者に接触しようと動機付けされる。
【発明の効果】
【００１１】
本発明に係る名刺によれば、切取容易に加工を施された１つの名刺で２つ以上の事業者を表示し、かつ、紹介を誘発することができる。
【図面の簡単な説明】
【００１２】
【図１】本発明の第１の実施形態に係る名刺の斜視図である。
【図２】本発明の第１の実施の形態に係る名刺の開状態を示す平面図である。
【図３】本発明の第１の実施の形態に係る名刺の閉状態を示す平面図である。
【図４】本発明の第１の実施の形態に係る名刺の切り取った状態を示す平面図である。
【発明を実施するための形態】
【００１３】
本発明の実施の形態に係る名刺について、図面を参照して説明する。本実施例において、名刺とは、従来よく知られるように、平面視して縦寸法（上下方向の寸法）が９１ｍｍ、横寸法（左右方向の寸法）が５５ｍｍの縦長のカードを意味する。しかし、名刺の寸法は、交換用のカードとして機能すれば、これに限定されず、横長や正方形であってもよい。
【００１４】
折りたたみ型の名刺とは、折りたたんだ状態（閉状態）で名刺の寸法となるカードを意味する。また、折りたたみ型の名刺は、開いた状態（開状態）で、通常の名刺の略二倍の寸法を有する。
【００１５】
また、名刺に記載される情報は、少なくとも個人の名称を含み、これに加えて、一般的に、個人の所属する団体名称、役職、所在地、電話番号、ＦＡＸ番号、メールアドレス等の個人情報を含む。また、名刺は、個人の考え、略歴、保有資格、写真等の個人に関する個人関連情報や、個人の所属する団体の理念、歴史、団体の所有資格等の団体に関する団体関連情報を含んでいてもよい。
【００１６】
図１〜図４を参照して、本発明の第１の実施の形態に係る折りたたみ型の名刺１００（以下、単に「名刺１００」ともいう。）について説明する。図１は、名刺１００の斜視図を示す。図２（Ａ）は、開状態の名刺１００の表面を示し、図２（Ｂ）は、開状態の名刺１００の裏面を示す。また、図３（Ａ）は、閉状態の名刺１００の表面を示し、図３（Ｂ）は、閉状態の名刺１００の裏面を示す。さらに、図４（Ａ）は、分離した状態の名刺１００の第１のカード部１１０の表面を示し、図４（Ｂ）は、分離した状態の名刺１００の第１のカード部１１０の裏面を示し、図４（Ｃ）は、分離した状態の名刺１００の第２のカード部１２０の表面を示し、図４（Ｄ）は、分離した状態の名刺１００の第２のカード部１２０の裏面を示す。
【００１７】
説明を容易にするために、図２〜図４には、名刺１００に、方向を特定するための印Ｍが仮想的に記されている。例えば、印Ｍは、図２（Ａ）において、名刺１００の左上に記され、図２（Ｂ）において、折りたたみ型の名刺１００の右上に記されている。これにより、図２（Ａ）と図２（Ｂ）との関係は、名刺１００を左右方向にひっくり返した状態であること、すなわち、上下方向を維持したまま左右方向に反転されていることが特定される。
【００１８】
図１に示すように、本発明の第１の実施の形態に係る折りたたみ型の名刺１００は、第１のカード部１１０と、第２のカード部１２０と、折目部１３０とからなる。第１および第２のカード部１１０，１２０は同一の矩形の形状である。ここで同一とは、完全に寸法が同一の場合に限らず、数ミリ程度の誤差を含む。第１および第２のカード部１１０，１２０は、それぞれが名刺として機能する形状である。
【００１９】
図２に示すように、第１のカード部１１０および第２のカード部１２０は、折目部１３０を介して連結されており、一体的なカード１００ａを形成している。本実施の形態において、第１および第２のカード部１１０，１２０は、それぞれ、寸法を５５ｍｍとした横方向の短辺である１１０ａ，１１０ｂ，１２０ａ，１２０ｂを有し、寸法を９１ｍｍとした縦方向の長辺１１０ｃ，１１０ｄ，１２０ｃ，１２０ｄを有する。これにより、カード１００ａは、縦寸法９１ｍｍ、横寸法１１０ｍｍの横長の矩形となる。
【００２０】
名刺１００は、第１のカード部１１０と第２のカード部１２０とが横方向に隣接して位置し、折目部１３０は、各カード部１１０，１２０の長辺１１０ｄ，１２０ｃから形成されている。第１のカード部１１０と第２のカード部１２０とは、開状態において、両一方の面１１０ｆ，１２０ｆを表面とし、かつ、両他方の面１１０ｒ，１２０ｒを裏面として折目部１３０を介して連なっている。
【００２１】
第１のカード部１１０は、短辺１１０ｂ側（短辺１１０ａの反対側）を識別の上方向として、一方の面１１０ｆに少なくとも個人の名称１１１が記載され、かつ、短辺１１０ｂ側を識別の上方向として、他方の面１１０ｒに少なくとも他の情報が記載されている。また、第２のカード部１２０は、短辺１２０ｂ側（短辺１２０ａの反対側）を識別の上方向として、一方の面１２０ｆに少なくとも他の情報が記載され、かつ、短辺１２０ｂ側を識別の下方向として、他方の面１２０ｒに他の情報が記載されている。
【００２２】
本実施の形態において、第１のカード部１１０には、表面である一方の面１１０ｆ（図２（Ａ）参照）に、個人（以下「第１の事業者」ともいう。）の名称１１１の他に、他の情報として役職（肩書）、電話番号および電子メールアドレスが記載されている。これらに加えて、団体名称、所在地（住所）、ＦＡＸ番号、Ｗｅｂサイト（以下、Ｗｅｂページまたはホームページもしくは略してＨＰともいう。）のＵＲＬが記載されていてもよい。
【００２３】
さらに、第１のカード部１１０は、裏面である他方の面１１０ｒ（図２の（Ｂ）参照）に、第１の事業者の所属する組織の名称、第１の特典事項、組織の住所、電話番号、ファクシミリ番号およびＨＰのＵＲＬ、ならびに第１の事業者の自己紹介、写真および肩書が記載されている。他方の面１１０ｒ、１２０ｒは折りたたみ型名刺１００の内側面となる。第１の特典事項は、名刺の受領者が得られる特典である。例えば、第１の特典事項は、第１の事業者の行うセミナーへの割引招待や、第１の事業者の作成した小冊子等の提供である。
【００２４】
また、本実施の形態において、第２のカード部１２０は、表面である一方の面１２０ｆ（図２の（Ａ）参照）に、他の情報として第１の事業者とは異なる者（以下「第２の事業者」ともいう。）の写真、当該個人が運営するセミナーに対して持っている思い、インターネット上で当該セミナーの情報が掲載されたＷｅｂページへ誘導するための検索キーワード、第２の特典事項が記載されている。第２の特典事項は、名刺の転得者が得られる特典である。例えば、第２のカード部１２０によって当該セミナーを知ったことによる特典である。
【００２５】
さらに、第２のカード部１２０は、裏面である１２０ｒ（図２の（Ｂ）参照）に、他の情報として、面１２０ｆに記載された第２の事業者が運営するセミナーのタイトル、セミナーの紹介文、図表、セミナーを受講することで得られる効果が期さされている。
【００２６】
第２のカード部１２０の面１２０ｆには、さらに、当該セミナーに参加を申し込む申し込みフォームが掲載されたＷｅｂページへ誘導するための案内表示１４０と、名刺を受領した受領者の氏名を記入する氏名記入欄が設けられている。案内表示は、例えば、ＱＲコード（登録商標）であるとよい。案内表示は、Ｗｅｂページへ誘導するための表示であれば、二次元コードの含むデータは、ＵＲＬやＩＰアドレスとするとよい。また、氏名記入欄は、第２のカード部１２０を譲渡することで当該セミナーを紹介した人の氏名を記入する紹介者記入欄であるとよい。
【００２７】
図３に示すように、折りたたみ型の名刺１００は、閉状態で第１のカード部１１０の一方の面１１０ｆを表面とし、第２のカード部１２０の一方の面１２０ｆを裏面として、かつ、それぞれの識別の上下方向を同一にしており、両面名刺として機能する。
【００２８】
本実施の形態において、第１のカード部１１０の一方の面１１０ｆには、閉状態の名刺１００を左右方向に裏返して第２のカード部１２０の一方の面１２０ｆに案内する案内表記を設け、第２のカード部１２０の一方の面１２０ｆには、閉状態の名刺１００を開状態に案内する案内表記を設けるとよい。これにより、名刺交換時に、名刺１００を、面１１０ｆを上にして第１の事業者から受け取った受領者は、案内表記に従い名刺１００を開状態とする前に、左右方向に裏返し、その後、案内表記に従い名刺１００を開状態とする。名刺１００は、この順に案内することにより、識別の上下方向が変動することなく、名刺の情報を識別できる。面１１０ｆに設ける案内表記は「裏返す」の文言や反転を意味する半円状の円弧の一端に矢印を付したマークとするとよい。面１２０ｆに設ける案内表記は、例えば右下部に「はがす」の文言とともに左斜め上方向の矢印を付すとよい。
【００２９】
図４に示すように、名刺１００は、折目部１３０に沿って第１のカード部１１０と第２のカード部１２０とを切り離して分離できる。折目部１３０は、前記第１のカード部と前記第２のカード部とを切断容易にするミシン目加工が施されている。ミシン目加工のミシン目の寸法、間隔は、必要時には容易に切断でき、不要時には容易に切断されないように、適宜変更できる。折りたたみ型の名刺１００は、折目部１３０に沿って切断されることで、第１のカード部１１０と第２のカード部１２０の２枚のカードとして機能する。
【００３０】
第１のカード部１１０は、一方の面１１０ｆと他方の面１１０ｒとで識別の上下方向を同一としており、左右方向にひっくり返すことにより識別方向を同一にしている。これにより、切り離された第１のカード部１１０は、両面名刺として機能する。
【００３１】
第２のカード部１２０も、第１のカード部１１０と同様に、一方の面１２０ｆと他方の面１２０ｒとで識別の上下方向を同一としている。他方の面１２０ｒに設けられた紹介者記入欄１４２には、折りたたみ型名刺１００を第１の事業者から受け取った人（以下「受領者」ともいう。）が自分の名前を記入して、第２のカード部１２０を切り離して、第２のカード部１２０に記載された情報を紹介したい人（以下「転得者」ともいう。）に渡す。これにより、転得者は第２のカード部１２０に記載された検索キーワードやＱＲコード（登録商標）、ＨＰのＵＲＬに基づいて第１の事業者がインターネット上に開示したセミナー情報に触れることができ、Ｗｅｂページに設けられた申し込みフォームにも「紹介者記入欄」が設けられている場合には、第２のカード部１２０の紹介者記入欄１４２の記載に基づいて受領者の氏名を記入することができる。
【００３２】
なお、閉状態の折りたたみ型名刺１００は、第１のカード部１１０と第２のカード部１２０が切り離し可能であれば、図１等に示した縦長ではなく横長や正方形としてもよく、閉状態における上下左右いずれの辺を折目部１３０としてもよい。
【００３３】
本発明によれば、第１のカード部に第１の事業者を、第２のカード部と第２の事業者を表示させることを特徴とし、第１のカード部および第２のカード部からなり、切取可能な名刺により第１の事業者が第２の事業者を容易に紹介することができる。
【符号の説明】
【００３４】
１００      折りたたみ型名刺
１００ａ    カード
１１０      第１のカード部
１１０ｆ    第１のカード部の一方の面
１１０ｒ    第１のカード部の他方の面
１２０      第２のカード部
１２０ｆ    第２のカード部の一方の面
１２０ｒ    第２のカード部の他方の面
１３０      折目部
１１０ｄ，１２０ｃ，  カード部が連なる長辺
１４０      ＱＲコード（登録商標）
１４２      紹介者名記入欄
【図１】
2019072952.tif 000003
【図２】
2019072952.tif 000004
【図３】
2019072952.tif 000005
【図４】
2019072952.tif 000006